(57)【要約】      （修正有）【課題】食卓や居間用の既存のテーブルにテーブル掛けを掛けるだけで、暖房機で室内暖房をしながらコタツ機能も同時に得られる保温テーブル掛けを提供する。【解決手段】テーブル掛け本体１をテーブルに掛けて覆い、任意の切込部２を開いて左右の布片４を左右のホルダー３に通して開口部の位置を自由に形成し、暖房機の室内暖房熱の一部を取込んでテーブル下部が温室状態になり、切込部２に足を挿入してもスリット形状により隙間が最小限に抑えられ、切込部２からの暖気の流失が抑えられて暖かさを維持し、コタツと同様の効果が得られる。【選択図】図１
0003142862.tif 000002
【実用新案登録請求の範囲】
【請求項１】
食卓や居間用の既存のテーブルに掛ける布製のテーブル掛けであり、該テーブルの天板と該天板から床面に接する間のテーブル側面の全面を覆う形状とし、該テーブル側面に足や椅子が挿入できる複数の切込部と、暖房機の室内暖房熱の一部をテーブル下部に取込むために、任意の位置に開口部を形成するホルダーを取付けたことを特徴とする保温テーブル掛け。
【考案の詳細な説明】
【技術分野】
【０００１】  本考案は、食卓や居間用の既存のテーブルと暖房機により、手軽にコタツ機能が得られるテーブル掛けに関するものである。
【背景技術】
【０００２】  近年の地球温暖化や石油価格高騰などにより、冬場にはエネルギー消費量を抑えるために室内暖房機の設定温度をできるだけ低くして暖をとっているが、床付近の冷気の滞留により足元が寒くて電気コタツなどを使用している場合が多く、室内暖房機と電気コタツなどを同時に使っているのはエネルギーの無駄遣いであり不経済でもある。このために温風暖房機の室内暖房熱の一部をコタツなどへ導入するコタツ用温風引込ダクトが特開平１０−１１１０２１号広報に開示されているが、温風暖房機の温風をコタツなどに導くために太くて長いダクトを使用し、部屋が片付かずに掃除の妨げや足を引っ掛ける危険性など、住空間の快適利用の妨げになる場合があった。
【特許文献１】  特開平１０−１１１０２１号広報
【考案の開示】
【考案が解決しようとする課題】
【０００３】  そこで、暖房機で室内暖房をしているにもかかわらず、足元が寒くて電気コタツなどを使わなければならない不合理を、ダクトなど住空間の快適利用の妨げになるものを使用することなく解決しようとするものである。
【課題を解決するための手段】
【０００４】  本考案は、食卓や居間用の既存のテーブルに掛ける布製のテーブル掛けであり、テーブルの天板と天板から床面に接する間のテーブル側面の全面を覆う形状とし、テーブル側面に足や椅子が挿入できる複数の切込部と、任意の位置に開口部を形成するホルダーを取付けて、暖房機の室内暖房熱の一部をテーブル下部に取込み、暖房機で室内暖房をしながらコタツ機能を提供するものである
【考案の効果】
【０００５】上述のように、本考案の保温テーブル掛けをテーブルに掛け、任意の切込部を左右に開いてできた開口部をホルダーで保持し、開口部から暖房機の室内暖房熱の一部を取込めば、ダクトのような住空間の快適利用の妨げになるものを一切使わずに、テーブル下部が温室状態になってコタツの状態が非常に簡単に得られる。また椅子に腰を掛けてテーブル下部に足を入れても、切込部がスリット形状であるために最小限の隙間しかできず、テーブル下部の暖気が外部に流出せずにとても暖かい。さらにテーブル側面の全周にある複数の切込部とホルダーの選択は任意であるために、テーブル側面の全ての方向に開口部が形成できてテーブルと暖房機の配置が自由になり、住空間の快適な使用が制限されない。
以上から、暖房機の室内温度を低く設定してエネルギー消費量が抑えられ、電気コタツなどを使わなくても足元が暖かくて電気コタツなどの購入費用や電気代も節約でき、快適な生活と環境対策と経費節約が同時に可能になる。
【考案を実施するための最良の形態】
【０００６】  テーブル掛け本体は布製で単純な平面形状に加工し、テーブル掛け本体をカットして切込部やホルダーを形成するのが最良の形態であり、製作が非常に簡単で製造コストも軽減でき、また多種多様な既存のテーブル形状と寸法にも容易に対応ができる。
【実施例】
【０００７】  以下、本考案について図面を用いて説明する。図１は保温テーブル掛けを示す平面図である。１はテーブル掛本体でテーブル天板に載せるための中央部とテーブル側面を覆うための側面部で形成され、側面部はテーブル下部に足や椅子が入れられるスリット状の切込部２と、暖房機の室内暖房熱の一部をテーブル下部に取込むための開口部を保持するために、左右の切込部２に挟まれた布片４を筒状に丸めて差込める程度のスリット穴状のホルダー３が形成されている。
テーブル掛け本体１の素材としては綿素材やポリエステル素材の布が適しているが、特に綿素材やポリエステル素材に限定されるものではない。【０００８】  なお、ホルダー周辺部は図２に示すようにテーブル掛け本体１の側面部をカットし、バイアス５によるカット端面の処理後に結合部６が縫合されて切込部２とホルダー３が各々形成され、布片４がホルダー３を通せる程度の大きさに形成されている。【０００９】  また図３に示すように、ホルダー３に被せてホルダー布７が縫合部８で縫合され、矢印に従って布片４がテーブル掛け本体１の裏面よりホルダー３を通ってホルダー布７を一周し、さらにホルダー３を通ってテーブル掛け本体１の裏面に保持されれば、布片４がホルダー３から簡単に抜け出ることがなくなり、保持機能をさらに高めたホルダー３が形成されるなど、ホルダー３の形状は様々な形態が考えられる。
また、ホルダー布７の素材は布が適しているが、特に限定されるものではない。【００１０】  また、テーブルの形状は円形や楕円形など多種多様であるが、テーブル掛本体１はテーブルの上で自然に垂れ下がるために、図１に示すようにテーブルの天板形状とテーブル掛け本体１の中央部形状が同一になる。またテーブル掛け本体１の側面部はテーブル天板から床へ垂直に垂れ下がる性質上、テーブル掛け本体１の中央部形状の接線に直角であればテーブルの側面を自然に覆うことになる。
以上から、対象となるテーブルは四角形に限定されるものではなく、各種のテーブルの形状に容易に対応するものである。【００１１】  本考案の実施例は上記の如く構成されるものであり、図４に示すようにテーブルにテーブル掛本体１を掛け、任意の切込部２の左布片４ａを左ホルダー３ａに通し、右布片４ｂを右ホルダー３ｂに通して開口部を形成し、開口部から暖房機の室内暖房熱の一部を取込んでテーブル下部が温室状態になり、切込部２に足を挿入しても暖気の流失が最小限に抑えられて暖かさを維持してコタツと同様の効果が得られる。
【図面の簡単な説明】
【００１２】
【図１】  本考案の保温テーブル掛けの平面図である。
【図２】  図１のホルダー周辺部を拡大した詳細図である。
【図３】  図１のホルダー周辺部を拡大した参考図である。
【図４】  同保温テーブル掛けの使用状態の説明図である。
【符号の説明】
【００１３】  １    テーブル掛け本体
２    切込部
３    ホルダー
３ａ  左ホルダー
３ｂ  右ホルダー
４    布片
４ａ  左布片
４ｂ  右布片
５    バイアス
６    結合部
７    ホルダー布
８    縫合部
【図１】
0003142862.tif 000003
【図２】
0003142862.tif 000004
【図３】
0003142862.tif 000005
【図４】
0003142862.tif 000006